(57)【要約】      （修正有）【課題】  特定の相手側装置へ発呼でき、初期設置コストを低廉化でき、更に、街頭に設置した場合における窃取行為を抑制できる専用電話端末を提供すること。【解決手段】  専用電話端末１において、収容ボックス２内に封緘された携帯電話機１０は、アンテナ３１により受信した電波を音声信号として制御器４０へ入力し、本体スピーカ５から音声として出力する。また、本体マイク７により集音された音声は、制御器４０を経て携帯電話機１０へ入力されてアンテナ３１から電波として送信される。しかも、携帯電話機１０は、押下ボタン６が押されて制御器４０から発呼要求指令を受けた場合、記憶される複数の電話番号情報の中から登録番号が最小のものを読み出し、その読み出した電話番号情報に記録される電話番号へ発呼するように構成されている。よって、押下ボタン６が押下されてインターホン１から発呼する場合には、必ず特定の１つの管理者電話機へ発呼される。【選択図】        図２
2005033720.tif 000002
【特許請求の範囲】
【請求項１】
１の相手側装置の電話番号を記憶する記憶手段と、その記憶手段に記憶される電話番号へ発呼する発呼手段と、その発呼手段により発呼される相手側装置へ回線を通じて音声信号を送信する送話手段と、相手側装置から回線を通じて送られてくる音声信号を受信する受話手段と、その受話手段、送話手段及び発呼手段に外部機器を接続可能とするための外部端子とを有する携帯電話機を備えている専用電話端末において、
その携帯電話機を被包して封緘可能に形成されるケース体と、
そのケース体内に配設され前記携帯電話機の外部端子と接続可能なコネクタ部材と、
そのコネクタ部材を介して前記携帯電話機の受話手段から音声信号が入力され、その音声信号を音波に変換して送波する送音手段と、
その送音手段と共に前記ケース体に配設されると共に、音波を受波して音声信号へ変換し前記コネクタ部材を介して前記送話手段へ出力する受音手段と、
その受音手段及び送音手段と共に前記ケース体に設けられるキー部材と、
そのキー部材の押下が検出される場合に前記コネクタ部材を介して前記携帯電話機の発呼手段を起動させる起動手段を有し前記ケース体内に設けられる制御器とを備えていることを特徴とする専用電話端末。
【請求項２】
前記制御器は、
前記携帯電話機に相手側装置から回線を通じて着呼があった場合に、その着呼を前記コネクタ部材を介して検出する着呼検出手段と、
その着呼検出手段により着呼が検出される場合に、前記コネクタ部材を介して前記携帯電話機に回線の閉結を指令する閉結指令手段と、
その閉結指令手段による回線の閉結中に相手側装置から前記携帯電話機の受話手段へ送信されてくる指令を前記コネクタ部材を介して検出する指令検出手段と、
その指令検出手段により指令が検出される場合、前記起動手段の実行を禁止する発呼禁止手段とを備えていることを特徴とする請求項１記載の専用電話端末。
【請求項３】
前記制御器は、
発呼元の相手側装置を認証するための電話番号を少なくとも１つ予め記憶しておく認証番号記憶手段と、
前記着呼検出手段により着呼が検出される場合に、回線を通じて交換機側から相手側装置の電話番号を受信する電話番号受信手段と、
その電話番号受信手段により受信される電話番号と前記認証番号記憶手段に記憶される電話番号とを比較する発信者認証手段と、
その発信者認証手段による比較の結果、前記電話番号受信手段により受信される電話番号と前記認証番号記憶手段に記憶される電話番号とが不一致の場合に回線の閉結を禁止する閉結禁止手段とを備えていることを特徴とする請求項２記載の専用電話端末。
【請求項４】
前記携帯電話機に搭載され回線を通じて相手側装置へ画像情報を送信する画像送信手段と、
前記ケース体の外面から露出される受光部により撮像する撮像手段とを備えており、
前記制御器は、その撮像手段により撮像された画像情報を前記コネクタ部材を介して前記画像送信手段へ出力する画像出力手段を備えていることを特徴とする請求項１から３のいずれかに記載の専用電話端末。
【請求項５】
前記ケース体の外面には所定のメッセージを表示可能な表示手段が設けられており、
前記制御器は、その表示手段に表示されるメッセージであって、その制御器又は携帯電話機の動作状況を説明するものを記憶するメッセージ記憶手段を備えていることを特徴とする請求項１から４のいずれかに記載の専用電話端末。
【請求項６】
前記制御器は、
前記ケース体の開放を検出する開放検出手段と、
その開放検出手段により前記ケース体の開放が検出される場合に前記コネクタ部材を介して前記携帯電話機の発呼手段を起動させる開放通報手段とを備えていることを特徴とする請求項１から５のいずれかに記載の専用電話端末。
【請求項７】
前記ケース体に設けられ警報音を鳴動する鳴動手段を備えており、
前記制御器は、前記開放検出手段により前記ケース体の開放が検出される場合に前記鳴動手段を起動するものであることを特徴とする請求項６記載の専用電話端末。
【請求項８】
外部電源から供給される交流電力を前記ケース体内へ導入する電源ケーブルを備えており、
前記ケース体には、
前記電源ケーブルと接続され交流電力を直流電力に変換して前記制御器及び前記コネクタ部材へ供給する主電源手段と、
その主電源手段から供給される直流電力を検出する電力検出手段と、
その電力検出手段により前記主電源手段の停電が検出される場合に前記制御器へ直流電力を供給する補助電源手段とが収容されており、
前記携帯電話機は、前記主電源手段から前記コネクタ部材へ供給される直流電力を蓄積する蓄電手段を備えており、
前記制御器は、前記電力検出手段により前記主電源手段の停電が検出される場合に前記コネクタ部材を介して前記携帯電話機の発呼手段を起動させる停電通報手段を備えていることを特徴とする請求項１から７のいずれかに記載の専用電話端末。
【請求項９】
前記携帯電話機の蓄電手段は前記補助電源手段として共用されるものであることを特徴とする請求項８記載の専用電話端末。
【請求項１０】
前記ケース体に設けられ警報音を鳴動する鳴動手段を備えており、
前記補助電源手段は、前記電力検出手段により前記主電源手段の停電が検出される場合に前記鳴動手段へ直流電力を供給するものであり、
前記制御器は、前記電力検出手段により前記主電源手段の停電が検出される場合に前記鳴動手段を起動するものであることを特徴とする請求項８又は９に記載の専用電話端末。
【発明の詳細な説明】
【技術分野】
【０００１】
本発明は、タクシー車輌の無人待合所、無人店舗、無人駐車場に設置して利用することができる専用電話端末に関するものである。
【背景技術】
【０００２】
近年、携帯電話機は急速な普及を遂げる一方、その普及に伴い街頭に設置されている公衆電話機は、その利用頻度が低下すると共に、その多くが撤去されている。このため、携帯電話機を保有しない者は、外出先で必要に応じて相手先に電話することが困難な状況となっており、例えば、外出先から目的地への移動に際してタクシー車輌の配車を依頼する場合などに公衆電話機を街頭で見つけ出すことが困難となっている。そこで、一部地域では、無人の待合所に有線固定電話機を設置し、その待合所へ出向いたタクシー利用者が待合所の有線固定電話機を用いて、タクシー営業所へ直接に配車を依頼する方式が利用されている。
【０００３】
ここで、待合所の有線固定電話機は専用回線を介してタクシー営業所に設置される有線固定電話機と一対一の関係で接続されている。よって、待合所の有線固定電話機を利用してタクシー営業所へ配車を依頼する場合には、タクシー利用者がタクシー営業所に設置される有線固定電話機の電話番号を一々ダイヤルする必要がない。しかも、待合所は、タクシー車輌の利用を希望する者が多いと思われる場所、例えば、病院、ホテル、ショッピングモール又は駅前などの公共施設に併設されるので、携帯電話機を未所持のタクシー利用者であっても公衆電話機を探し出す必要がないのである。
【特許文献１】特開２０００−３４１４２１号公報
【発明の開示】
【発明が解決しようとする課題】
【０００４】
しかしながら、上記した方式は、待合所の有線固定電話機とタクシー営業所の有線固定電話機とを専用回線で接続するものであるので、固定電話機の購入費、工事費、及び施設設置負担金がそれぞれ２回線分必要となってしまう。即ち、一般回線を利用する場合に比べて必ず初期設置コストが２倍以上となってしまうのである。しかも、待合所を複数箇所に設置する場合には、各待合所に有線固定電話機をそれぞれ設置すると共に、各待合所の有線固定電話機に対応する有線固定電話機を営業所内に個々に設置する必要があるので、一般回線を利用する場合に比べて更に初期設置コストが高額化してしまうという問題点がある。
【０００５】
また、利用客が待合所に不在の場合、かかる待合所は無人状態となるため、その待合所内に設置されている有線固定電話機が窃取される虞が極めて高い。更に、待合所に設置される有線固定電話機は一般電話回線に接続される固定電話機としても使用可能であるため、窃取の対象となり易いという問題点がある。
【０００６】
本発明は、上述した問題点を解決するためになされたものであり、特定の相手側装置へ発呼でき、専用回線を用いた有線固定電話方式に比べて初期設置コストを低廉化でき、更に、街頭に設置した場合における窃取行為を抑制できる専用電話端末を提供することを目的としている。
【課題を解決するための手段】
【０００７】
この目的を達成するために請求項１記載の専用電話端末は、１の相手側装置の電話番号を記憶する記憶手段と、その記憶手段に記憶される電話番号へ発呼する発呼手段と、その発呼手段により発呼される相手側装置へ回線を通じて音声信号を送信する送話手段と、相手側装置から回線を通じて送られてくる音声信号を受信する受話手段と、その受話手段、送話手段及び発呼手段に外部機器を接続可能とするための外部端子とを有する携帯電話機を備え、その携帯電話機を被包して封緘可能に形成されるケース体と、そのケース体内に配設され前記携帯電話機の外部端子と接続可能なコネクタ部材と、そのコネクタ部材を介して前記携帯電話機の受話手段から音声信号が入力され、その音声信号を音波に変換して送波する送音手段と、その送音手段と共に前記ケース体に配設されると共に、音波を受波して音声信号へ変換し前記コネクタ部材を介して前記送話手段へ出力する受音手段と、その受音手段及び送音手段と共に前記ケース体に設けられるキー部材と、そのキー部材の押下が検出される場合に前記コネクタ部材を介して前記携帯電話機の発呼手段を起動させる起動手段を有し前記ケース体内に設けられる制御器とを備えている。
【０００８】
この請求項１記載の専用電話端末によれば、例えば、ケース体が屋外に設置されて使用に供される。ここで、相手側装置を使用する者であって当該専用電話端末を管理するもの（以下この欄及び次欄で「電話管理者」という。）の呼び出しのために当該専用電話端末を使用する者（以下この欄及び次欄で「電話使用者」という。）によりキー部材が押下されると、制御器は、コネクタ部材を介して、起動手段により携帯電話機の発呼手段を起動させる。この起動によって、発呼手段は携帯電話機の記憶手段に記憶される１の相手側装置の電話番号へと発呼する。この発呼を受けた相手側装置が応答すると、その相手側装置と携帯電話機との間で回線が閉結される。
【０００９】
この回線閉結によって、相手側装置から送られてくる音声信号は携帯電話機の受話手段により受信され、コネクタ部材を介して送音手段へ入力される。この入力された音声信号は送音手段によって音波として送波され、この音波が電話使用者の耳に伝えられる。一方、回線閉結によって、電話使用者が発した音声は、音波として受音手段により受波されて音声信号に変換される。変換後の音声信号は、コネクタ部材を介して携帯電話機の送話手段へ出力され、相手側装置へ回線を通じて送信される。これによって、相手側装置を使用する電話管理者は、電話使用者の音声を聞くことができる。
【００１０】
請求項２記載の専用電話端末は、請求項１記載の専用電話端末において、前記制御器は、前記携帯電話機に相手側装置から回線を通じて着呼があった場合に、その着呼を前記コネクタ部材を介して検出する着呼検出手段と、その着呼検出手段により着呼が検出される場合に、前記コネクタ部材を介して前記携帯電話機に回線の閉結を指令する閉結指令手段と、その閉結指令手段による回線の閉結中に相手側装置から前記携帯電話機の受話手段へ送信されてくる指令を前記コネクタ部材を介して検出する指令検出手段と、その指令検出手段により指令が検出される場合、前記起動手段の実行を禁止する発呼禁止手段とを備えている。
【００１１】
この請求項２記載の専用電話端末によれば、請求項１記載の専用電話端末と同様に作用する上、相手側装置から携帯電話機に着呼があると、その着呼がコネクタ部材を介して制御器の着呼検出手段により検出される。この検出に基づいて、制御器の閉結指令手段による指令がコネクタ部材を介して携帯電話機になされると、この指令を受けた携帯電話機では回線が閉結される。ここで、回線閉結中に相手側装置からの指令が携帯電話機の受話手段により受信され、その指令がコネクタ部材を介して制御器の指令検出手段により検出されると、発呼禁止手段により起動手段の実行が禁止される。即ち、携帯電話機の発呼手段の起動が禁止される。
【００１２】
請求項３記載の専用電話端末は、請求項２記載の専用電話端末において、前記制御器は、発呼元の相手側装置を認証するための電話番号を少なくとも１つ予め記憶しておく認証番号記憶手段と、前記着呼検出手段により着呼が検出される場合に、回線を通じて交換機側から相手側装置の電話番号を受信する電話番号受信手段と、その電話番号受信手段により受信される電話番号と前記認証番号記憶手段に記憶される電話番号とを比較する発信者認証手段と、その発信者認証手段による比較の結果、前記電話番号受信手段により受信される電話番号と前記認証番号記憶手段に記憶される電話番号とが不一致の場合に回線の閉結を禁止する閉結禁止手段とを備えている。
【００１３】
この請求項３記載の専用電話端末によれば、請求項２記載の専用電話端末と同様に作用する上、携帯電話機に着呼があると、その着呼がコネクタ部材を介して制御器の着呼検出手段により検出されると共に、回線を通じて交換機側から発呼元の相手側装置の電話番号が電話番号受信手段により受信される。受信した電話番号は、発信者認証手段により認証番号記憶手段に記憶される電話番号と比較され、比較の結果が不一致であると、閉結禁止手段により回線の閉結が禁止される。
【００１４】
請求項４記載の専用電話端末は、請求項１から３のいずれかに記載の専用電話端末において、前記携帯電話機に搭載され回線を通じて相手側装置へ画像情報を送信する画像送信手段と、前記ケース体の外面から露出される受光部により撮像する撮像手段とを備えており、前記制御器は、その撮像手段により撮像された画像情報を前記コネクタ部材を介して前記画像送信手段へ出力する画像出力手段を備えている。
【００１５】
この請求項４記載の専用電話端末によれば、請求項１から３のいずれかに記載の専用電話端末と同様に作用する上、ケース体の周辺の状況は、ケース体の外面に露出した撮像手段の受光部により受光されて撮像され、制御器の画像出力手段によりコネクタ部材を介して携帯電話機の画像送信手段へ出力され、この画像送信手段により相手側装置へ画像情報として送信される。
【００１６】
請求項５記載の専用電話端末は、請求項１から４のいずれかに記載の専用電話端末において、前記ケース体の外面には所定のメッセージを表示可能な表示手段が設けられており、前記制御器は、その表示手段に表示されるメッセージであって、その制御器又は携帯電話機の動作状況を説明するものを記憶するメッセージ記憶手段を備えている。
【００１７】
この請求項５記載の専用電話端末によれば、請求項１から４のいずれかに記載の専用電話端末と同様に作用する上、メッセージ記憶手段に記憶されるメッセージは、制御器又は携帯電話機の動作状況に応じて表示手段により表示される。
【００１８】
請求項６記載の専用電話端末は、請求項１から５のいずれかに記載の専用電話端末において、前記制御器は、前記ケース体の開放を検出する開放検出手段と、その開放検出手段により前記ケース体の開放が検出される場合に前記コネクタ部材を介して前記携帯電話機の発呼手段を起動させる開放通報手段とを備えている。
【００１９】
この請求項６記載の専用電話端末によれば、請求項１から５のいずれかに記載の専用電話端末と同様に作用する上、開放検出手段によってケース体の開放が検出されると、開放通報手段によって携帯電話機の発呼手段が起動され、その発呼手段により記憶手段に記憶される１の相手側装置の電話番号へ発呼がなされる。
【００２０】
請求項７記載の専用電話端末は、請求項６記載の専用電話端末において、前記ケース体に設けられ警報音を鳴動する鳴動手段を備えており、前記制御器は、前記開放検出手段により前記ケース体の開放が検出される場合に前記鳴動手段を起動するものである。
【００２１】
この請求項７記載の専用電話端末によれば、請求項６記載の専用電話端末と同様に作用する上、開放検出手段によりケース体の開放が検出されると、開放通報手段が実行されて携帯電話機の発呼手段によって記憶手段に記憶される特定の１の相手側装置の電話番号へ発呼がなされると共に、鳴動手段によって警報音が鳴動される。
【００２２】
請求項８記載の専用電話端末は、請求項１から７のいずれかに記載の専用電話端末において、外部電源から供給される交流電力を前記ケース体内へ導入する電源ケーブルを備えており、前記ケース体には、前記電源ケーブルと接続され交流電力を直流電力に変換して前記制御器及び前記コネクタ部材へ供給する主電源手段と、その主電源手段から供給される直流電力を検出する電力検出手段と、その電力検出手段により前記主電源手段の停電が検出される場合に前記制御器へ直流電力を供給する補助電源手段とが収容されており、前記携帯電話機は、前記主電源手段から前記コネクタ部材へ供給される直流電力を蓄積する蓄電手段を備えており、前記制御器は、前記電力検出手段により前記主電源手段の停電が検出される場合に前記コネクタ部材を介して前記携帯電話機の発呼手段を起動させる停電通報手段を備えている。
【００２３】
この請求項８記載の専用電話端末によれば、請求項１から７のいずれかに記載の専用電話端末と同様に作用する上、外部電源の電力は、電源ケーブルを介してケース体内へ導入され、主電源手段へ供給される。主電源手段では、交流電力が直流電力に変換され、この直流電力が制御器へ供給されて、制御器が駆動される。一方、主電源手段の直流電力は、コネクタ部材を介して携帯電話機へ供給されて、かかる携帯電話機の駆動に使用されると共に、その余剰分が蓄電手段へ供給されて蓄積される。
【００２４】
ここで、電源ケーブルからの電力供給が停止して主電源手段が停電すると、その停電が電力検出手段により検出され、補助電源手段によって制御器へ直流電力が供給されると共に、携帯電話機は蓄電手段に蓄積された直流電力により駆動される。更に、主電源手段の停電が電力検出手段により検出されると、停電通報手段によって携帯電話機の発呼手段が起動されて、その発呼手段により携帯電話機の記憶手段に記憶される１の相手側装置の電話番号へ発呼がなされ、当該相手側装置を使用する電話管理者へ通報がなされる。
【００２５】
請求項９記載の専用電話端末は、請求項８記載の専用電話端末において、前記携帯電話機の蓄電手段は前記補助電源手段として共用されるものである。
【００２６】
請求項１０記載の専用電話端末は、請求項８又は９に記載の専用電話端末において、前記ケース体に設けられ警報音を鳴動する鳴動手段を備えており、前記補助電源手段は、前記電力検出手段により前記主電源手段の停電が検出される場合に前記鳴動手段へ直流電力を供給するものであり、前記制御器は、前記電力検出手段により前記主電源手段の停電が検出される場合に前記鳴動手段を起動するものである。
【００２７】
この請求項１０記載の専用電話端末によれば、請求項８又は９に記載の専用電話端末と同様に作用する上、電力検出手段により主電源手段の停電が検出されると、補助電源手段により鳴動手段へ給電がなされ、鳴動手段により警報音が鳴動される。
【発明の効果】
【００２８】
請求項１記載の専用電話端末によれば、制御器は、ケース体に設けられるキー部材が電話使用者により押下されるだけで、起動手段よって携帯電話機の発呼手段を起動させて特定の１の相手側装置に対してのみ発呼することができる。即ち、２台の有線固定電話機を専用回線を介して相互に接続せずとも、特定の相手側装置のみに発呼する専用電話を実現することができるという効果がある。
【００２９】
しかも、本発明の専用電話端末を複数箇所に設置する場合にあっては、その複数の専用電話端末に備わった携帯電話機の記憶手段に記憶される電話番号を全て共通化することで、各専用電話端末により呼び出される相手側装置を１台のみに限定することもできる。よって、かかる場合には、専用回線を用いた有線固定電話機のように、専用電話端末の設置個数と同数の被呼側の相手側装置を設置する必要がないので、その分、設備コストを大幅に低減できるという効果がある。
【００３０】
また、専用電話端末に備わる携帯電話機は無線方式により通信を行うので、本発明の専用電話端末を設置する場合に有線固定電話機のような電話線工事が不要となり、その分、当該専用電話端末の設置工事を簡素化でき、更に工事コストも低減できるという効果がある。しかも、電話通信に携帯電話機を用いることで有線固定電話機のような施設設置負担金も不要となるので、その分、更に初期設備コストを低廉化できるという効果もある。
【００３１】
ところで、ケース体内に収容される携帯電話機は有線固定電話機と同様に窃取して転用可能なものなので、窃取の対象と成りうる。しかし、本発明で使用される携帯電話機はケース体内に被包されて封緘されるので、その外観上からは転用可能な携帯電話機が収容されていることを窺い知ることは困難である。故に、ケース体を破壊して内部から携帯電話機を窃取する行為を抑制できるという効果がある。
【００３２】
請求項２記載の専用電話端末によれば、請求項１記載の専用電話端末の奏する効果に加え、遠隔地にある相手側装置から携帯電話機へ発呼して且つ所定の指令を送出することによって、制御器における起動手段の実行を禁止して携帯電話機から相手側装置への発呼動作を禁止することができる。即ち、遠隔操作によって、本発明の専用電話端末に備わる携帯電話機からの発呼を禁止できるという効果がある。
【００３３】
よって、例えば、本発明の専用電話端末を無人店舗に設置した場合において、その無人店舗での営業を終了するときは、発呼禁止手段によって当該専用電話端末に備わる携帯電話機の発呼手段の起動を禁止して、電話使用者からの呼び出しを拒否することもできる。このようにすれば、無人店舗の営業終了後に、相手側装置を使用する電話管理者が無暗に呼び出される事態を、回避することができるのである。
【００３４】
請求項３記載の専用電話端末によれば、請求項１又は２に記載の専用電話端末の奏する効果に加え、携帯電話機に対して発呼してきた相手側装置の電話番号が認証番号記憶手段に記憶される電話番号と不一致の場合、回線の閉結は閉結禁止手段によって禁止される。よって、見ず知らずの発呼者の電話機から本発明の専用電話端末に着呼があった場合には、当該専用電話端末が無断で遠隔操作されることを防止できるという効果がある。
【００３５】
しかも、発信者認証手段は、交換機側から送られてくる電話番号に基づいて発呼側装置を認証するので、他の識別情報、例えば、パスワード等を使用する場合に発生する不正な成りすまし行為を防止できるという効果もある。
【００３６】
請求項４記載の専用電話端末によれば、請求項１から３のいずれかに記載の専用電話端末の奏する効果に加え、電話管理者は、撮像手段により撮像される画像情報に基づいて、本発明の専用電話端末の設置場所の状況を確認することができる。よって、例えば、本発明の専用電話端末を、身体の不自由な者の家に設置しておけば、その者の様子を遠隔地から窺い知ることができるという効果もある。また、無人のタクシー待合所や無人店舗に本発明の専用電話端末を設置するような場合にあっては、当該専用電話端末の窃取や破壊行為を画像情報に基づいて監視することもできるという効果がある。
【００３７】
請求項５記載の専用電話端末によれば、請求項１から４のいずれかに記載の専用電話端末の奏する効果に加え、制御器又は携帯電話機の動作状況に応じたメッセージを表示手段により表示して、電話使用者に告知できるという効果がある。よって、例えば、請求項２記載の発呼禁止手段により起動手段の実行が禁止されているような場合にあっては、その旨を示す内容のメッセージを表示手段により表示して、当該専用電話端末が使用禁止の状態にあることを電話使用者に告知することもできる。
【００３８】
請求項６記載の専用電話端末によれば、請求項１から５のいずれかに記載の専用電話端末の奏する効果に加え、例えば、ケース体が無断に開放される場合は、携帯電話機から特定の相手側装置へ発呼がなされるので、ケース体の無断開放を電話管理者に通知することができるという効果がある。しかも、電話管理者は、自己が使用する相手側装置の受話器へ向けて、無断開放行為の中止を促す内容のメッセージを送話することで、かかるメッセージを携帯電話の受話手段へ送り、送音手段により音声波として出力して、無断開放行為をする者に対して当該行為の中止を喚起することができるという効果もある。
【００３９】
請求項７記載の専用電話端末によれば、請求項６記載の専用電話端末の奏する効果に加え、例えば、ケース体が無断開放される場合は、携帯電話機の記憶手段に記憶される１の電話番号へ発呼手段により発呼がされることに加えて、鳴動手段により警報音が鳴動されることで、ケース体内の携帯電話機を窃取しようとする者を威嚇して窃取行為を抑制することができ、その窃取行為を周囲の者に通報することができるという効果がある。
【００４０】
請求項８記載の専用電話端末によれば、請求項１から７のいずれかに記載の専用電話端末の奏する効果に加え、例えは、電源ケーブルの切断、或いは外部電源自体の停電などの原因によって、主電源手段が停電した場合、制御器は補助電源手段により給電が維持され、且つ、携帯電話機は自己の蓄電手段により給電が維持される。よって、停電時であっても、補助電源手段及び蓄電手段の電力が残余する間は、制御器及び携帯電話機の正常動作を確保することができるという効果がある。
【００４１】
また、停電時には、停電通報手段により携帯電話機から特定の相手側装置へ発呼がなされるので、特に、電源ケーブルが意図的に切断されてケース体ごと本発明の専用電話端末が窃取される様な場合には、かかる行為の発生を相手側装置を使用する電話管理者へ通知することができるという効果がある。しかも、電話管理者は、自己が使用する相手側装置の受話器へ向けて、窃取行為の中止を促す内容のメッセージを送話することで、かかるメッセージを携帯電話の受話手段へ送り、送音手段により音声波として出力して、窃取行為をする者に対して当該行為の中止を喚起することができるという効果もある。
【００４２】
請求項９記載の専用電話端末によれば、請求項８記載の専用電話端末の奏する効果に加え、携帯電話機の蓄電手段は補助電源手段として共用されるので、主電源手段の停電時に制御器へ電力供給するための補助電源手段を別途設ける必要がなく、制御器への給電を携帯電話機の蓄電手段からコネクタ部材を介して行うことができるという効果がある。
【００４３】
請求項１０記載の専用電話端末によれば、請求項８又は９に記載の専用電話端末の奏する効果に加え、例えば、窃取の目的で電源ケーブルが意図的に切断される様な場合には、補助電源手段により鳴動手段へ給電がなされて、かかる鳴動手段が警報音を鳴動させるので、窃取行為を行う者を威嚇して当該行為を抑制することができ、その窃取行為の発生を周囲の者に通報することができるという効果がある。
【発明を実施するための最良の形態】
【００４４】
以下、本発明の好ましい実施例について、添付図面を参照して説明する。図１は、本発明の専用電話端末の一実施例であるインターホン１の正面図である。図１に示すように、インターホン１は、縦長の正面視略矩形状に形成された収容ボックス２を備えており、この収容ボックス２の前面には上から順に本体カメラ３、本体液晶ディスプレイ（以下「ＬＣＤ」という。）４、本体スピーカ５、押下ボタン６、及び本体マイク７が配設されている。収容ボックス２は、硬質樹脂材料で形成された中空箱状体であり、かかる内部に後述する携帯電話機１０を収容可能な空間を有している（図２参照）。
【００４５】
本体カメラ３は、ＣＣＤセンサやＣＭＯＳセンサなどの光情報を電気信号に変換する受光素子を用いてデジタル画像を撮影する撮像素子カメラであり、この本体カメラ３によりインターホン１に対面して使用する者（以下「インターホン使用者」という。）の様子や、インターホン１の設置場所の周囲の様子がデジタル動画又は静止画として撮影される。この本体カメラ３の受光面３ａには、広角範囲の撮影を可能とするために魚眼レンズが装着されている。本体ＬＣＤ４は、インターホン使用者に対して当該インターホン１の動作状況を通知（告知）するための液晶表示器であり、その表示面が横長の正面視略長方形状に形成されている。
【００４６】
本体スピーカ５は、収容ボックス２の内部に収容される携帯電話機１０（図２参照）により受信される電気的な音声信号を音波に変換して空気中へ送波する拡声器である。押下ボタン６は、インターホン１を管理する者（以下「インターホン管理者」という。）の使用に供する電話機（以下「管理者電話機」という。）を呼び出す場合に押下されるものである。本体マイク７は、インターホン使用者の声やインターホン１の設置場所の周囲の音、即ち、音波を受波して電気的な音声信号に変換する集音器である。
【００４７】
図２は、図１のＩＩ−ＩＩ線における縦断面図である。図２に示すように、収容ボックス２は、その前面側（図２右側）に開口が設けられており、かかる開口が開閉蓋２ａにより覆蓋されている。開閉蓋２ａは、開閉可能に収容ボックス２に縁部に枢着されると共に、封緘用錠前２ｂ（図１参照）により収容ボックス２を封止している。つまり、この封止によって、携帯電話機１０が収容ボックス２内に被包されて封緘されている。この携帯電話機１０は、収容ボックス２の内面に取付具（図示せず）を介して固定されている。
【００４８】
また、開閉蓋２ａの内面には、上記した本体カメラ３、本体ＬＣＤ４，本体スピーカ５、押下ボタン６、及び本体マイク７が取着されており、これらの部品３〜７は、それぞれ電気信号線を介して収容ボックス２内に配設される制御器４０と電気的に接続されている。更に、この制御器４０にはケーブル９の一端が接続されており、このケーブル９の他端には、携帯電話機１０の外部端子１５（図３参照）と電気的に接続されるコネクタ８が設けられている。
【００４９】
図３は、携帯電話機１０の電気的構成を示したブロック図である。図３に示すように、携帯電話機１０には、ＣＰＵ１１、ＲＯＭ１２、ＲＡＭ１３、ＥＥＰＲＯＭ１４、外部端子１５、搭載バッテリ１６，撮像素子カメラ１７、撮像素子制御回路１８、高周波回路１９、音声制御回路２０、音声入出力回路２１、マイク２２、スピーカ２３、リンガ駆動回路２４、リンガ２５、操作パネル２６、表示制御回路２７、ＬＣＤ２８、ＬＥＤ２９、入出力制御回路３０及びアンテナ３１が設けられている。
【００５０】
ＣＰＵ１１は、アンテナ３１及び高周波回路１９により受信される音声信号及び非音声信号、又は制御器４０からの指令（信号）に従って、携帯電話機１０の各部に制御信号を出力し、当該携帯電話機１０の発呼動作又は着呼動作その他の動作を制御する演算装置である。ＲＯＭ１２は、この携帯電話機１０で実行される制御プログラム１２ａや、各種の固定値データなどを格納した書換不能な不揮発性メモリである。また、ＲＡＭ１３は、携帯電話機１０の各動作の実行時に各種のデータを一時的に記憶するための書き換え可能な揮発性メモリである。
【００５１】
ＥＥＰＲＯＭ１４は、書換可能な不揮発性のメモリであり、ＥＥＰＲＯＭ１４へ記憶されたデータは、携帯電話機１０の電源オフ後も保持される。ＥＥＰＲＯＭ１４には、電話帳メモリ１４ａが設けられている。電話帳メモリ１４ａは、複数の電話番号情報を記憶するためのメモリである。この電話帳メモリ１４ａに記憶される電話番号情報の各々には、主として、登録番号、氏名名称、及び電話番号が記録されている。ここで、登録番号は、電話番号情報ごとに個別に付される識別番号であり、「０」から始まる整数値が用いられる。氏名名称とは、電話番号情報に記録される電話番号に対応する電話機の使用者の氏名又は名称である。また、電話帳メモリ１４ａには、複数の電話番号情報が登録番号の小さい順に記憶されている。
【００５２】
ところで、携帯電話機１０は、制御器４０から発呼要求指令を受けた場合、常に、電話帳メモリ１４ａに記憶される複数の電話番号情報の中から登録番号が最小のものを読み出し、その読み出した電話番号情報に記録される電話番号へ発呼するように構成されている。即ち、インターホン１で呼び出すべき電話機、即ち、管理者電話機の電話番号とは、携帯電話機１０の電話帳メモリ１４ａに記憶される電話番号情報の中で登録番号が「０」の電話番号情報のものに記録される電話番号を意味している。
【００５３】
外部端子１５は、上記したコネクタ８が電気的に接続される接続端子であり、かかるコネクタ８を介して制御器４０と接続されている。外部端子１５は、携帯電話機１０に各種の外部機器を接続するための端子であり、外部機器からの各種信号、又は外部電源からの電力を、入出力制御回路３０を介して携帯電話機１０の各部へ供給するため、複数の接続ピン（図示せず）を備えている。この外部端子１５は外部電源と接続される接続ピンが搭載バッテリ１６にも接続されており、この接続ピンを介して外部電源から供給される電力が搭載バッテリ１６の充電に利用される。
【００５４】
搭載バッテリ１６は、携帯電話機１０に予め装着され搭載されている充電可能な蓄電池である。撮像素子カメラ１７は、上記した本体カメラ３と同種のものであり、デジタル動画又は静止画を撮影するために携帯電話機１０に搭載されている。撮像素子制御回路１８は、撮像素子カメラ１７を駆動制御すると共に、撮像素子カメラ１７により撮像された画像を高周波回路１９へ出力するための回路である。
【００５５】
高周波回路１９は、ＣＰＵ１１により指定されたチャンネルに対応する周波数の電波の送受信処理を行う回路である。この高周波回路１９によれば、具体的には、指定されたチャンネルで受信した信号のうち、呼出信号やチャンネル情報等の非音声信号をＣＰＵ１１へ、音声信号を音声制御回路２０へとそれぞれ振り分けて出力する一方、ＣＰＵ１１から出力される着信応答信号、発呼要求信号、及びダイヤルデータなどの非音声信号、並びに音声制御回路２０から出力される音声信号を、それぞれ対応する高周波電気信号に変換してアンテナ３１へ出力する回路である。
【００５６】
音声制御回路２０は、ＣＰＵ１１の制御により、高周波回路１９から入力される音声信号を音声入出力回路２１へ出力する一方、その音声入出力回路２１から入力される音声信号を高周波回路１９へ出力する回路である。音声入出力回路２１は、ＣＰＵ１１の制御の下に、音声制御回路２０から入力される音声信号をスピーカ２３へ出力する一方、マイク２２から入力される音声信号を音声制御回路２０へ出力する回路である。
【００５７】
マイク２２は、受波した音声（音波）を電気的な音声信号に変換して音声入出力回路２１へ出力する回路であり、携帯電話機１０の受話器として機能するものである。また、スピーカ２３は、上記した音声入出力回路２１から入力される電気的な音声信号を音声（音波）に変換して空気中へ送波する回路であり、携帯電話機１０の送話器として機能するものである。
【００５８】
リンガ２５は、着呼時に着信音を鳴動させるための拡声器であり、リンガ駆動回路２４により駆動制御されている。操作パネル２６は、通話キースイッチ、音声停止キースイッチ、終話キースイッチ、及びダイヤルキースイッチの各種キースイッチが配設されるパネルであり、表示制御回路２７は、ＬＣＤ２８及びＬＥＤ２９を駆動制御するための回路である。ＬＣＤ２８は、携帯電話機１０に着呼があった場合に発呼元の電話機の電話番号等を表示可能な液晶表示器であり、ＬＥＤ２９は、着呼時に点灯される発光素子である。
【００５９】
入出力制御回路３０には、ＣＰＵ１１、ＲＯＭ１２、ＲＡＭ１３、及びＥＥＰＲＯＭ１４がアドレスバス、データバス、及び制御信号線などにより相互に接続されており、更に、外部端子１５、撮像素子制御回路１８、高周波回路１９、音声制御回路２０、リンガ駆動回路２４、操作パネル２６、及び表示制御回路２７がそれぞれ接続されている。また、アンテナ３１は、受信電波を受けて対応する電気信号を高周波回路１９に送り、また高周波回路１９からの電気信号を電波に変換して送出する回路である。
【００６０】
以上説明した携帯電話機１０によれば、それを単体で使用する場合、アンテナ３１により受信された電波（高周波信号）は高周波回路１９及び音声制御回路２０により処理され音声入出力回路２１を介してスピーカ２３から音声として出力される。一方、インターホン１によれば、アンテナ３１により受信された電波は、高周波回路１９及び音声制御回路２０により音声信号として入出力制御回路３０、外部端子１５、コネクタ８及びケーブル９を通じて制御器４０へ入力され、本体スピーカ５から音声として出力される。
【００６１】
また、携帯電話機１０によれば、それを単体で使用する場合、マイク２２から入力される音声が音声入出力回路２１、音声制御回路２０及び高周波回路１９を介してアンテナ３１から電波として送信される。その一方、インターホン１によれば、音声は本体マイク７から制御器４０へ入力され、更に、ケーブル９、コネクタ８、携帯電話機１０の外部端子１５、入出力制御回路３０、音声制御回路２０、高周波回路１９、及びアンテナ３１を介して電波として送信される。加えて、携帯電話機１０が送受信する非音声信号である呼出信号やチャンネル信号等の各種信号は、外部端子１５及びコネクタ８を介して携帯電話機１０から制御器４０へ逐次出力されている。
【００６２】
図４は、制御器４０の電気的構成を示したブロック図である。図４に示すように、制御器４０には、ＣＰＵ４１、ＲＯＭ４２、ＲＡＭ４３、ＥＥＰＲＯＭ４４、切換スイッチ４７、撮像素子制御回路４８、電圧センサ４９、開閉スイッチ５０、音声入出力回路５１、音声メモリ５２、ブザー駆動回路５４、呼出スイッチ５６、表示制御回路５７、及び入出力制御回路５８が設けられている。なお、制御器４０には、ケーブル９に接続されるコネクタ、並びに電源回路４５、補助バッテリ４６及び警報ブザー５５も接続されている。
【００６３】
ＣＰＵ４１は、インターホン１の各部に制御信号を出力して動作を制御する演算装置である。ＲＯＭ４２は、インターホン１を制御するために制御器４０で実行される制御プログラム４２ａや、各種の固定値データなどを格納した書換不能な不揮発性メモリであり、図５から図９のフローチャートに示す各プログラムは、制御プログラム４２ａの一部としてＲＯＭ４２内に格納されている。また、ＲＡＭ４３は、インターホン１の各動作の実行時に各種のデータを一時的に記憶するための書き換え可能な揮発性メモリであり、発信者番号メモリ４３ａと、停止フラグ４３ｂと、呼出カウンタ４３ｃとを備えている。
【００６４】
発信者番号メモリ４３ａは、インターホン１の携帯電話機１０への着呼に伴う回線閉結前に、その携帯電話機１０へ送られてくる発呼元の電話機の電話番号（発信者番号）を、携帯電話機１０から受け取って一時的に記憶するためのメモリである。発信者番号は、携帯電話機１０への着呼に伴って着側の交換機から送信されてくるが、発呼元で発信者番号の通知と拒否している場合、着側の交換機から送信されないことがある。よって、かかる場合には、発信者番号メモリ４３ａの内容を「０」クリアする。従って、発信者番号メモリ４３ａの内容を調べて、「０」であれば、発呼元の電話機（発信者）の電話番号が着側の交換機から送信されなかったと判断できる。
【００６５】
停止フラグ４３ｂは、後述する呼出処理（図７参照）の実行の許可又は禁止を決定するフラグであり、後述する着信処理（図６参照）の実行中に設定される。停止フラグ４３ｂの初期値はオフに設定されており、かかるフラグ４３ｂがオフの場合、呼出処理の実行が許可される。一方、停止フラグ４３ｂがオンの場合は、呼出処理の実行は禁止される。また、呼出カウンタ４３ｃは、交換機側から携帯電話機１０へ送られてくる呼出音を計数するためのものであり、この呼出カウンタ４３ｃの値が一定値に達すると、管理者電話機が応答しないものと判断して、実行中の呼出処理が中止される。
【００６６】
ＥＥＰＲＯＭ４４は、書換可能な不揮発性のメモリであり、ＥＥＰＲＯＭ４４へ記憶されたデータは、制御器４０の電源オフ後も保持される。ＥＥＰＲＯＭ４４には、発信者識別メモリ４４ａと、文字メッセージメモリ４４ｂと、電圧閾値メモリ４４ｃとが設けられている。
【００６７】
発信者識別メモリ４４ａは、インターホン１の遠隔操作が許可される電話機の電話番号を記憶するためのメモリであり、例えば、予め５件の電話番号を登録しておくことができる。具体的には、携帯電話機１０が交換機から発信者番号を受信した場合、その発信者番号が発信者識別メモリ４４ａに記憶されている電話番号のいずれかと一致すると、携帯電話機１０により回線の閉結状態が維持される一方、不一致であれば携帯電話機１０により回線が即座に切断される。
【００６８】
文字メッセージメモリ４４ｂは、本体ＬＣＤ４に表示される各種の文字メッセージを複数記憶するためのメモリである。電圧閾値メモリ４４ｃは、電源回路４５が停電したか否かを判断するための電圧値を記憶するためのメモリであり、電圧センサ４９により検出される電圧値が電圧閾値メモリ４４ｃの値以下となった場合に、電源回路４５は停電したものと判断される。なお、本実施例では、電圧閾値メモリ４４ｃの値としてインターホン１の各部の駆動電圧より若干低い電圧値が設定されている。
【００６９】
電源回路４５は、電源ケーブル５３を介して商用交流電源７０から供給される交流電力を、携帯電話機１０及び制御器４０の駆動に適した直流電力に変換するための回路である。この電源回路４５により変換された直流電力は、入出力制御回路５８を介して、制御器４０の各部へ駆動電力として供給されると共に、ケーブル９及びコネクタ８を介して携帯電話機１０へも供給され、当該携帯電話機１０の各部の駆動電力としても利用される。また、電源回路４５から出力される直流電力は、制御器４０の補助バッテリ４６へ直接供給され充電に利用される一方、ケーブル９、コネクタ８及び外部端子１５を介して携帯電話機１０の搭載バッテリ１６の充電にも利用される。
【００７０】
補助バッテリ４６は、電源回路４５が停電した場合に制御器４０の各部へ駆動用の直流電力を供給するためのものであり、充電可能な蓄電池である。切換スイッチ４７は、補助バッテリ４６と入出力制御回路５８との電気的経路を開閉するための接点を有するスイッチング素子であり、このスイッチ４７の開閉により補助バッテリ４６と入出力制御回路５８とを接続又は切断することができる。なお、切換スイッチ４７に使用されるスイッチング素子は、有接点方式または無接点方式の何れであっても良い。
【００７１】
ここで、切換スイッチ４７は、初期状態において、その接点が開放されており、ＣＰＵ４１が電圧センサ４９を介して電源回路４５の停電を検出すると、その接点が閉結される。この閉結により、補助バッテリ４６から入出力制御回路５８を介して制御器４０及び携帯電話機１０の各部へ給電が行われる。一方、一旦接点が閉結された切換スイッチ４７は、電圧センサ４９により電源回路４５の復旧が検出された場合に、その接点が開放される。この開放によって、補助バッテリ４６と入出力制御回路５８とが電気的に切断され、当該バッテリ４６による給電が停止されるのである。
【００７２】
撮像素子制御回路４８は、本体カメラ３を駆動制御すると共に、本体カメラ３により撮像された画像を入出力制御回路５８、ケーブル９、及びコネクタ８、並びに携帯電話機１０の外部端子１５及び入出力制御回路３０を介して、高周波回路１９へ出力するための回路である。また、電圧センサ４９は、電源回路４５の出力電圧を検出するためのセンサであり、この検出値が電圧閾値メモリ４４ｃに記憶される電圧閾値以下となると、ＣＰＵ４１により電源回路４５が停電したものと判断される。
【００７３】
開閉スイッチ５０は、収容ボックス２の開閉蓋２ａの開放を検出するセンサであり、開閉蓋２ａが閉鎖状態でオフされ、開閉蓋２ａが開放状態でオンされる。ＣＰＵ４１は、開閉スイッチ５０のオン又はオフを逐次検出することにより、開閉蓋２ａの開閉を監視している。音声入出力回路５１は、本体スピーカ５及び本体マイク７と入出力制御回路５８との間に介在する回路である。この音声入出力回路５１によれば、ＣＰＵ４１の制御によって、携帯電話機１０の音声制御回路２０から入力される音声信号、即ち、インターホン１と回線を介して接続される電話機から送られてくる音声信号を本体スピーカ５へ出力する一方、本体マイク７から入力された音声信号を携帯電話機１０の音声制御回路２０へ出力する。
【００７４】
音声メモリ５２は、携帯電話機１０の音声制御回路２０を通じて相手側の電話機へ送出される各種の音声メッセージや、相手側の電話機から送られてきた入来メッセージを記憶するためのメモリであり、安価な大容量メモリであるダイナミックＲＡＭ（ＤＲＡＭ）により構成されている。警報ブザー５５は、収容ボックス２の開閉蓋２ａの不正開放や、電源回路４５の停電時などの非常時に警報ブザー音を鳴動させるものであり、ブザー駆動回路５４により駆動制御されている。
【００７５】
呼出スイッチ５６は、上記した押下ボタン６と入出力制御回路５８との間に介在しており、その押下ボタン６が押下される場合にオンされるスイッチング素子である。この呼出スイッチ５６の状態は、ＣＰＵ４１によって逐次監視されており、ＣＰＵ４１は、呼出スイッチ５６がオンされる場合に、押下ボタン６の押下されたものと判断する。この呼出スイッチ５６は、初期状態においてオフに設定されている。なお、呼出スイッチ５６は、ＣＰＵ４１の制御信号に基づいて強制的にオフすることも可能である。
【００７６】
表示制御回路５７は、本体ＬＣＤ４と入出力制御回路５８との間に介在する回路であり、本体ＬＣＤ４における表示動作を制御するための回路である。入出力制御回路５８は、ＣＰＵ４１、ＲＯＭ４２、ＲＡＭ４３、及びＥＥＰＲＯＭ４４とアドレスバス、データバス、及び制御信号線などにより相互に接続されており、更に、ケーブル９を介してコネクタ８とも接続されている。
【００７７】
コネクタ８は、携帯電話機１０の外部端子１５と接続可能に形成されており、携帯電話機１０と制御器４０との間で各種信号の送受信を行うためのインターフェイスである。更に、入出力制御回路５８には、電源回路４５、切換スイッチ４７、撮像素子制御回路４８、電圧センサ４９、開閉スイッチ５０、音声入出力回路５１、音声メモリ５２、ブザー駆動回路５４、呼出スイッチ５６、及び表示制御回路５７も接続されている。
【００７８】
次に、図５から図９のフローチャートを参照して、上記のように構成されたインターホン１の動作について説明する。なお、図５から図９のフローチャートに示す各プログラムは、制御器４０のＣＰＵ４１によって実行されるものである。
【００７９】
図５は、メイン処理を示したフローチャートである。インターホン１は、電源ケーブル５３が商用交流電源７０に接続されて電源投入がなされると、メイン処理を実行する。図５に示すように、メイン処理では、まず、制御器４０のＲＡＭ４３を初期化し（Ｓ１）、呼出スイッチ５６をオフして初期化する（Ｓ２）。そして、本体ＬＣＤ４を起動し（Ｓ３）、その本体ＬＣＤ４に「呼出し時には下のボタンを押して下さい」と表示する（Ｓ４）。この表示によって、インターホン１の使用時には押下ボタン６を押すように、インターホン使用者の注意を喚起している。
【００８０】
Ｓ４の表示後は、携帯電話機１０に外部の電話機から着呼があったか否かを判断し（Ｓ５）、着呼があれば（Ｓ５：Ｙｅｓ）、着信処理（図６参照）を実行する（Ｓ６）。一方、着呼がなければ（Ｓ５：Ｎｏ）、着呼処理をスキップして処理をＳ７へ移行する。着信処理の後（Ｓ６）、又は携帯電話機１０に着呼がない場合は（Ｓ５：Ｎｏ）、停止フラグ４３ｂの状態を判断し（Ｓ７）、判断の結果、停止フラグ４３ｂがオフであれば（Ｓ７：Ｎｏ）、インターホン使用者によるインターホン１の使用が許可されている。そこで、かかる場合はインターホン使用者により押下ボタン６が押下されたか否かを判断すべく、呼出スイッチ５６の状態を判断する（Ｓ８）。
【００８１】
判断の結果、呼出スイッチ５６がオンであれば（Ｓ８：Ｙｅｓ）、管理者電話機を呼び出すべく、呼出処理（図７参照）を実行する（Ｓ９）。また、呼出スイッチ５６がオフであれば（Ｓ８：Ｎｏ）、押下ボタン６はインターホン使用者により押下されていないので、呼出処理（Ｓ９）をスキップして、処理をＳ１１へ移行する。この移行によって、他の処理を実行すると（Ｓ１１）、処理を再びＳ５へ移行して、Ｓ５からＳ１０までの処理を繰り返し実行する。この繰り返しによって、インターホン１は、外部の電話機から着呼があるまで、又はインターホン使用者による押下ボタン６の押下があるまで、常時待機するのである。
【００８２】
一方、上記したＳ７の判断において、停止フラグ４３ｂがオンである場合には（Ｓ７：Ｙｅｓ）、インターホン使用者によるインターホン１の使用が禁止されている。即ち、呼出処理（図７参照）の実行が禁止されているので、本体ＬＣＤ４に「現在使用できません」と表示して（Ｓ１０）、処理をＳ１１へ移行するのである。
【００８３】
図６は、着信処理を示したフローチャートである。着信処理は、外部の電話機からインターホン１（携帯電話機１０）に着呼した場合に制御器４０において実行される処理である。図６に示すように、着信処理では、メイン処理で携帯電話機１０に着呼があると（Ｓ５：Ｙｅｓ）、回線が閉結される以前に、まず、交換機側から送信される発呼元の電話機の発信者番号を、携帯電話機１０が受信したか否かを判断する（Ｓ２１）。判断の結果、携帯電話機１０が発信者番号を受信した場合には（Ｓ２１：Ｙｅｓ）、その発信者番号を発信者番号メモリ４３ａへ書き込む（Ｓ２２）。
【００８４】
一方、発呼元の電話機が電話番号の通知を拒否している場合には、交換機側から発信者番号は送信されないので、発信者番号を受信することができない。よって、かかる場合には（Ｓ２１：Ｎｏ）発信者番号メモリ４３ａの内容を「０」クリアして（Ｓ２３）、発信者番号を受信することができなかったことを記憶する。
【００８５】
発信者番号メモリ４３ａへの電話番号の書込後（Ｓ２２）、又は、発信者番号メモリ４３ａの「０」クリア後（Ｓ２３）、携帯電話機１０に回線の閉結を指令する（Ｓ２４）。この指令は、制御信号としてケーブル９、コネクタ８、及び外部端子１５等を介して携帯電話機１０へ入力され、この指令を受けた携帯電話機１０によって発呼元の電話機との間で回線が閉結される。回線の閉結後は（Ｓ２４）、発呼元の電話機を認証するために、発信者番号メモリ４３ａに記憶される電話番号と発信者識別メモリ４４ａに記憶される電話番号とを比較する（Ｓ２５）。
【００８６】
比較の結果、発信者番号メモリ４３ａの内容と一致する電話番号が発信者識別メモリ４４ａに記憶されていれば（Ｓ２６：Ｙｅｓ）、発呼元の電話機（発信者）については、このインターホン１との通話及び遠隔操作が許可されているので、本体カメラ３及び本体マイク７を起動する（Ｓ２７）。この起動によって、本体カメラ３により撮影された画像、及び本体マイク７により集音された音声は、制御器４０から携帯電話機１０へ送られて、この携帯電話機１０により発呼元の電話機へと送信される。よって、インターホン管理者は、遠隔地にてインターホン１の設置場所の周囲の様子を監視することができる。
【００８７】
一方、Ｓ２５の比較の結果、発信者番号メモリ４３ａの内容と一致する電話番号が発信者識別メモリ４４ａに記憶されていなければ（Ｓ２６：Ｎｏ）、発呼元の電話機については、このインターホン１との通話及び遠隔操作が禁止されているので、携帯電話機１０に対して、発呼元の電話機との回線を切断する指令（制御信号）を送出（出力）する（Ｓ３８）。この指令を受けた携帯電話機１０では、閉結中の回線を強制的に切断する。これによって、無許可の外部の電話機による不正なアクセスを拒絶でき、当該インターホン１に対する不正な通話及び遠隔操作を防止できる。
【００８８】
ところで、本体カメラ３及び本体マイク７の起動後は（Ｓ２７）、発呼元の電話機から回線が切断されて終話音を交換機側から受信する迄の間（Ｓ３４：Ｎｏ）、又は押下ボタン６が押下されて呼出スイッチ５６がオンされる迄の間（Ｓ３５：Ｎｏ）、発呼元の電話機から送出されてくるプッシュ音を携帯電話機１０が回線を通じて受信したか否かを監視する（Ｓ２８）。この監視の結果、発呼元の電話機からのプッシュ音を携帯電話機１０が受信すれば（Ｓ２８：Ｙｅｓ）、そのプッシュ音に対応するダイヤル番号の値を判断する（Ｓ２９）。
【００８９】
この判断の結果、プッシュ音に対応するダイヤル番号の値が「０」であれば（Ｓ２９：「０」）、発呼元の電話機からインターホン１の使用中止が指示されているので、停止フラグ４３ｂをオンする（Ｓ３０）。停止フラグ４３ｂをオンした後は（Ｓ３０）、この処理を受けて呼出処理（図７参照）の実行を禁止した旨を発呼元の電話機へ通知するため、その旨の音声メッセージを、音声メモリ５２から読み出して携帯電話機１０へ送出し、携帯電話機１０を通じて発呼元の電話機へ送信する（Ｓ３１）。
【００９０】
一方、発呼元の電話機から送出されてくるプッシュ音に対応するダイヤル番号の値が「１」の場合は（Ｓ２９：「１」）、発呼元の電話機からインターホン１の使用許可が指示されているので、停止フラグ４３ｂをオフする（Ｓ３２）。停止フラグ４３ｂをオフした後は（Ｓ３２）、この処理を受けて呼出処理（図７参照）の実行を許可した旨を発呼元の電話機へ通知するため、その旨の音声メッセージを、音声メモリ５２から読み出して携帯電話機１０へ送出し、携帯電話機１０を通じて発呼元の電話機へ送信する（Ｓ３３）。
【００９１】
Ｓ３１、Ｓ３３の処理後、又はプッシュ音が受信されない場合は（Ｓ２８：Ｎｏ）、携帯電話機１０が終話音を受信したか否かを判断し（Ｓ３４）、発呼元の電話機から回線が切断されて終話音を交換機側から受信していれば（Ｓ３４：Ｙｅｓ）、発呼元の電話機との間の通話状態は終了したものと判断して、携帯電話機１０に回線の開放を指令する（Ｓ３６）。この指令は制御信号として携帯電話機１０へ出力され、かかる指令を受けると、携帯電話機１０では回線を開放する処理が実行される。回線開放の指令後は（Ｓ３６）、本体カメラ３及び本体マイク７の稼動を停止して（Ｓ３７）、発信者番号メモリ４３ａの内容を０クリアして（Ｓ３９）、この着信処理を終了する。
【００９２】
一方、携帯電話機１０において終話音が受信されずとも呼出スイッチ５６がオンされ（Ｓ３４：Ｎｏ，Ｓ３５：Ｙｅｓ）、停止フラグ４３ｂがオフのままであれば、図７に示す呼出処理（図５のＳ９）を実行すべく、発信者番号メモリ４３ａの内容を０クリアして（Ｓ３９）、この着信処理を終了する。
【００９３】
図７は、呼出処理を示したフローチャートである。呼出処理は、押下ボタン６の押下を契機に管理者電話機へ発呼してインターホン管理者を呼び出すために制御器４０で実行される処理であり、押下ボタン６が押下されて呼出スイッチ５６がオンされた場合（図５のＳ８：Ｙｅｓ）に実行される。図７に示すように、呼出処理では、まず、携帯電話機１０において回線が閉結中か否かを判断する（Ｓ４１）。この判断の結果、携帯電話機１０において回線が閉結中であると判断される場合（Ｓ４１：Ｙｅｓ）がある。
【００９４】
例えば、上記した図６に示す着信処理（Ｓ６）の実行中に、押下ボタン６が押下され呼出スイッチ５６がオンされた場合（図６のＳ３５及び図５のＳ８：Ｙｅｓ）、既に携帯電話機１０と他の電話機との間では回線が閉結中であるので（４１：Ｙｅｓ）、かかる場合は、Ｓ４２からＳ４６の処理をスキップして、処理をＳ４７へ移行する。一方、Ｓ４１の判断の結果、回線が開放状態であれば（Ｓ４１：Ｎｏ）、本体ＬＣＤ４に「呼出し中」の文字を表示して（Ｓ４２）、発呼要求指令を携帯電話機１０へ出力する（Ｓ４３）。
【００９５】
発呼要求指令を受信した携帯電話機１０では、この受信を契機として、回線へ発呼要求信号を送信した後、電話帳メモリ１４ａに記憶される電話番号情報の中から、登録番号の値が最小のもの、即ち、登録番号として「０」が記録されている電話番号情報を読み出し、当該電話番号情報に記録される電話番号へ発呼するのである。つまり、携帯電話機１０の電話帳メモリ１４ａは、そのメモリ１４ａ内に記憶される複数の電話番号情報の内で、登録番号が「０」の電話番号情報に管理者電話機の電話番号を、予め記録しているのである。よって、押下ボタン６が押下されてインターホン１から発呼する場合には、必ず特定の１つの管理者電話機へ発呼することができるのである。
【００９６】
Ｓ４３の処理後、制御器４０では携帯電話機１０を介して回線の状態を監視する（Ｓ４４〜Ｓ４６）。具体的には、まず、携帯電話機１０により回線が閉結されるか、又は回線から呼出音若しくは話中音を受信するまで待機する（Ｓ４４，Ｓ４５，Ｓ４６：Ｎｏ）。その後、呼出音又は話中音を受信する以前に回線が閉結されれば（Ｓ４４：Ｙｅｓ）、インターホン１からの発呼に対して管理者電話機が応答しているので、この呼出処理の実行以前から携帯電話機１０と他の電話機（管理者電話機を含む）との間で回線が閉結中であった場合（４１：Ｙｅｓ）と同様に、処理をＳ４７へ移行する。
【００９７】
携帯電話機１０と他の電話機（管理者電話機を含む）との間で回線が閉結中の場合は（Ｓ４１：Ｙｅｓ又はＳ４４：Ｙｅｓ）、携帯電話機１０と回線閉結中の電話機へ、インターホン使用者の撮影画像及び音声を撮影及び集音するため、本体カメラ３及び本体マイク７が稼動中か否かを判断する（Ｓ４７，Ｓ４９）。判断の結果、本体カメラ３又は本体マイク７が停止中であれば（Ｓ４７，Ｓ４９：Ｎｏ）、本体カメラ３又は本体マイク７を起動する（Ｓ４８，Ｓ５０）。これによって、インターホン使用者の画像及び音声を撮影及び集音することが可能となる。
【００９８】
一方、着信処理（Ｓ６）のＳ２７の処理によって、本体カメラ３又は本体マイク７が予め稼働中であれば（Ｓ４７，Ｓ４９：Ｙｅｓ）、Ｓ４８及びＳ５０の処理をスキップする。また更に、本体カメラ３及び本体マイク７の稼動と共に本体スピーカ５も起動し（Ｓ５１）、本体ＬＣＤ４に「通話中」の文字を表示する（Ｓ５２）。よって、携帯電話機１０と回線接続中の電話機の使用者の音声を、本体スピーカ５により拡声してインターホン使用者へ伝達することができるのである。
【００９９】
なお、インターホン１が着信を許可する電話機は発信者識別メモリ４４ａに記憶される電話番号の数（例えば５機）だけ存在するが、インターホン１が発呼先とする電話機は特定の１つの管理者電話機にのみ限定されている。よって、上記した図６に示す着信処理（Ｓ６）の実行中に押下ボタン６が押下され呼出スイッチ５６がオンされた場合（図６のＳ３５及び図５のＳ８：Ｙｅｓ）、携帯電話機１０と回線接続中の電話機は必ずしも管理者電話機であるとは限らないが、本実施例では、たとえ管理者電話機以外の電話機と回線接続中であってもＳ４７からＳ５１の処理を実行して、当該電話機の使用者とインターホン使用者とが通話できるようにしている。
【０１００】
Ｓ４７からＳ５２の処理の実行後は、インターホン１による通話が終話して、接続先の電話機から回線が切断されて、携帯電話機１０において終話音が受信されるまで待機し（Ｓ５３：Ｎｏ）、携帯電話機１０において終話音が受信されると（Ｓ５３：Ｙｅｓ）、携帯電話機１０へ回線を切断する指令を送出し（Ｓ５４）、呼出スイッチ５６をオフして初期化して（Ｓ５５）、本体カメラ３、本体スピーカ５及び本体マイク７を停止する（Ｓ５６）。この後は、本体ＬＣＤ４に「呼出し時には下のボタンを押して下さい」と再表示して（Ｓ５７）、この呼出処理を終了する。なお、Ｓ５４による切断指令を受信した携帯電話機１０では、この受信を契機として、回線を切断する切断信号を回線へ送出し、次の着呼動作又は発呼動作まで待機状態となる。
【０１０１】
一方、Ｓ４３の処理後の監視中に（Ｓ４４〜Ｓ４６）、呼出音が受信されれば（Ｓ４５：Ｙｅｓ）、呼出カウンタ４３ｃの値に「１」を加算して（Ｓ５８）、呼出カウンタ４３ｃの値を確認する（Ｓ５９）。この確認の結果、呼出カウンタ４３ｃの値が２０未満であれば（Ｓ５９：Ｎｏ）、携帯電話機１０と接続中の回線の監視に復帰し（Ｓ４４〜Ｓ４６：Ｎｏ）、呼出音を受信し続ける場合には、Ｓ４５からＳ５９までの処理を繰り返す。その後、呼出カウンタ４３ｃの値が２０以上となったら（Ｓ５９：Ｙｅｓ）、呼出カウンタ４３ｃの値を「０」クリアし（Ｓ６０）、携帯電話機１０と接続中の回線の監視（Ｓ４４〜Ｓ４６）を終了する。この後は、本体ＬＣＤ４に「しばらくしてからもう一度ボタンを押して下さい」と表示し（Ｓ６１）、この表示を１０秒間保持し（Ｓ６２：Ｎｏ）、１０秒間が経過すると（Ｓ６２：Ｙｅｓ）、回線を切断するため、Ｓ５４からＳ５７の処理を実行して、この呼出処理を終了するのである。
【０１０２】
また一方で、Ｓ４３の処理後の監視中に（Ｓ４４〜Ｓ４６）、話中音が受信されれば（Ｓ４６：Ｙｅｓ）、管理者電話機は通話中であるので、処理をＳ６１へ移行して、本体ＬＣＤ４に「しばらくしてからもう一度ボタンを押して下さい」と表示し（Ｓ６１）、この表示を１０秒間保持し（Ｓ６２：Ｎｏ）、１０秒間が経過すると（Ｓ６２：Ｙｅｓ）、回線を切断するため、Ｓ５４からＳ５７の処理を実行して、この呼出処理を終了するのである。
【０１０３】
図８は、開放通報処理を示したフローチャートである。開放通報処理は、所定の間隔（例えば１秒間隔）で定期的に実行される割込処理であって、収容ボックス２の開閉蓋２ａが不正に開放される場合に制御器４０で実行されるものである。図８に示すように、開放通報処理では、まず、開閉スイッチ５０の状態を確認し（Ｓ７１）、開閉スイッチ５０がオフであれば（Ｓ７１：Ｎｏ）、開閉蓋２ａが閉鎖されたままと判断され、この開放通報処理を終了する。
【０１０４】
一方、開閉スイッチ５０がオンであれば（Ｓ７１：Ｙｅｓ）、開閉蓋２ａが開放されているものと判断して、インターホン１の設置場所の撮影画像及び音声を撮影及び集音して管理者電話機へ送信するため、まず、本体カメラ３及び本体マイク７が稼動中か否かを判断する（Ｓ７２，Ｓ７４）。
【０１０５】
これらの判断の結果、本体カメラ３又は本体マイク７が停止中であれば（Ｓ７２，Ｓ７４：Ｎｏ）、本体カメラ３又は本体マイク７を起動する（Ｓ７３，Ｓ７５）。これによって、インターホン使用者の画像及び音声を撮影及び集音することが可能となる。一方、図６のＳ２７の処理、図７のＳ４８若しくはＳ５０の処理、又は後述する図９のＳ９４若しくはＳ９６の処理によって、本体カメラ３又は本体マイク７が予め稼働中であれば（Ｓ７２，Ｓ７４：Ｙｅｓ）、Ｓ７３及びＳ７５の処理をスキップする。
【０１０６】
本体カメラ３及び本体マイク７の稼動後は、又はそれらの稼動の確認後は、携帯電話機１０において回線が閉結中か否かを判断し（Ｓ７６）、回線が開放状態であれば（Ｓ７６：Ｎｏ）、発呼要求指令を携帯電話機１０へ出力する（Ｓ７７）。一方、Ｓ７６の判断で、携帯電話機１０において回線が閉結中であると判断される場合がある。例えば、図６のＳ２４の処理、図７のＳ４３の処理、又は後述する図９のＳ９８の処理によって、他の電話機（管理者電話機を含む。）と携帯電話機１０とが回線接続中であると判断されれば（Ｓ７６：Ｙｅｓ）、Ｓ７７及びＳ７８の処理をスキップして処理をＳ７９へ移行する。
【０１０７】
なお、Ｓ７７の処理による発呼要求指令を受信した携帯電話機１０では、この受信を契機として、回線へ発呼要求信号を送信した後、上記した電話帳メモリ１４ａに記憶される管理者電話機の電話番号へ発呼する。この発呼後は、管理者電話機が応答して回線が閉結されるまで待機し（Ｓ７８：Ｎｏ）、回線が閉結されると（Ｓ７８：Ｙｅｓ）、警報ブザー５５及び本体スピーカ５が鳴動又は稼動中か否かを判断する（Ｓ７９，Ｓ８１）。
【０１０８】
Ｓ７９又はＳ８１の判断の結果、警報ブザー５５又は本体スピーカ５が停止中であれば（Ｓ７９，Ｓ８１：Ｎｏ）、警報ブザー５５又は本体スピーカ５を鳴動又は起動して（Ｓ８０，Ｓ８２）、この開放通報処理を終了する。一方、警報ブザー５５が図９のＳ１０１の処理によって、本体スピーカ５が図７のＳ５１の処理又は図９のＳ１０３の処理によって、予め稼働中であれば（Ｓ７９，Ｓ８１：Ｙｅｓ）、それぞれＳ８０及びＳ８２の処理をスキップして、この開放通報処理を終了する。
【０１０９】
この結果、警報ブザー５５のブザー音により周囲に開放蓋２ａの不正開放行為を通報でき、本体スピーカ５から携帯電話機１０と回線接続状態にある電話機から音声により警告を発することができる。
【０１１０】
図９は、停電通報処理を示したフローチャートである。停電通報処理は、所定の間隔（例えば１秒間隔）で定期的に実行される割込処理であって、特に、電源ケーブル５３の不正な切断により電源回路４５が停電する場合場合に制御器４０で実行されるものである。図９に示すように、停電通報処理では、まず、電圧センサ４９により検出される電圧値が電圧閾値メモリ４４ｃに記憶される値以下か否かを確認し（Ｓ９１）、電圧センサ４９の検出値が電圧閾値メモリ４４ｃの値を超えていれば（Ｓ９１：Ｎｏ）、電源ケーブル５３の切断による電力低下がなく、正常な電力供給がなされているものと判断して、この停電通報処理を終了する。
【０１１１】
一方、電圧センサ４９により検出される電圧値が電圧閾値メモリ４４ｃに記憶される値以下であれば（Ｓ９１：Ｙｅｓ）、電源ケーブル５３が不正に切断され電力が低下しているものと判断し、まず、切換スイッチ４７をオンして（Ｓ９２）、補助バッテリ４６を入出力制御回路５８に接続して、電力供給を再開する。次に、インターホン１の周囲に不審者が存在するか否かを確認する目的及び、不審者が存在する場合には警告するために、Ｓ９３からＳ１０３までの処理を実行する。これによって、警報ブザー５５のブザー音により周囲に電源ケーブル５３の不正な切断行為を通報でき、本体スピーカ５によって携帯電話機１０と回線接続状態にある電話機からの音声を発生させて、不審者に警告を発することができる。
【０１１２】
なお、Ｓ９３からＳ１０３までの各処理については、図８に示すＳ７２からＳ８２までの各処理が対応するので、その説明を省略する。また、Ｓ９３からＳ１０３までの処理の実行にあたって、本体カメラ３又は本体マイク７は図６のＳ２７の処理、図７のＳ４８若しくはＳ５０の処理、又は図８のＳ７３若しくはＳ７５の処理によって、警報ブザー５５は図８のＳ８０の処理によって、本体スピーカ５は図７のＳ５１の処理又は図８のＳ８２の処理によって、予め稼動中である場合があるものとする。更に、携帯電話機１０における回線は図６のＳ２４の処理、図７のＳ４３の処理、又は図８のＳ７７の処理によって、既に接続中である場合があるものとする。
【０１１３】
以上説明した本実施例において、請求項１記載の携帯電話機の記憶手段に電話番号が記憶される１の相手側装置とは管理者電話機が、その記憶手段に記憶される１の相手側装置の電話番号とは電話帳メモリ１４ａに記憶される電話番号情報のうちで登録番号が「０」のものが、起動手段としては図５のＳ８の処理のＹｅｓの分岐及び図７のＳ４３の処理が該当する。
【０１１４】
請求項２記載の着呼検出手段としては図５のＳ５の処理が、閉結指令手段としては図５のＳ５のＹｅｓの分岐及び図６のＳ２４の処理が、指令検出手段としては図６のＳ２８の処理が、発呼禁止手段としては図６のＳ２８のＹｅｓ及びＳ２９の「０」の分岐、並びにＳ３０の処理及び図５のＳ７のＹｅｓの分岐が、それぞれ該当する。請求項３記載の電話番号受信手段としては図６のＳ２１の処理が、発信者認証手段としては図６のＳ２５の処理が、閉結禁止手段としては図６のＳ２６のＮｏの分岐及びＳ３８の処理が、それぞれ該当する。
【０１１５】
請求項６記載の開放検出手段の一部としては図８のＳ７１の処理が、開放通報手段としては図８のＳ７１のＹｅｓの分岐及びＳ７７の処理が、それぞれ該当する。請求項７記載の制御器としては図８のＳ７１のＹｅｓの分岐、Ｓ７９のＮｏの分岐及びＳ８０の処理が、それぞれ該当する。請求項８記載の補助電源手段の一部としては図９のＳ９１のＹｅｓの分岐及びＳ９２の処理が、停電通報手段としてはＳ９１のＹｅｓの分岐及びＳ９８の処理が、それぞれ該当する。請求項１０記載の補助電源手段の一部としては図９のＳ９１のＹｅｓの分岐及びＳ９２の処理が、制御器としては図９のＳ９１のＹｅｓの分岐、Ｓ１００のＮｏの分岐及びＳ１０１の処理が、それぞれ該当する。
【０１１６】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１１７】
例えば、本実施例では、インターホン１に補助バッテリ４６を搭載し、電源回路４５が停電した場合に切換スイッチ４７をオンして、補助バッテリ４６により制御器４０の各部へ電力供給をするように構成したが、電源回路４５の停電時における電源手段は、必ずしもこれに限定されるものではない。例えば、制御器４０から補助バッテリ４６及び切換スイッチ４７を撤去して、電源回路４５の停電時には、コネクタ８及び外部端子１５を介して、携帯電話機１０の搭載バッテリ１６から制御器４０へ電力供給するように構成しても良い。即ち、かかる場合には、請求項９記載の補助電源手段の一部として携帯電話機１０の搭載バッテリ１６が該当することとなる。
【０１１８】
また、当然のことながら、制御器４０の発信者識別メモリ４４ａに電話番号が記憶されている電話機からインターホン１を呼び出して、携帯電話機１０の電話帳メモリ１４ａに記憶されている管理者電話機の電話番号を、遠隔操作により書き換えることも可能である。即ち、インターホン管理者は、必要に応じて、インターホン１の発呼先となる管理者電話機の電話番号を変更することもできる。
【０１１９】
また、本実施例では、電源回路４５の停電を検出するために電圧センサ４９により電源回路４５の出力電圧値の検出をしたが、電源回路４５の停電を検出するための手段は必ずしもこれに限定されるものではなく、電源回路４５の出力電力を検出可能なものであれば、電流センサやその他の機器を用いても良い。
【図面の簡単な説明】
【０１２０】
【図１】本発明の一実施例であるインターホンの正面図である。
【図２】図１のＩＩ−ＩＩ線における縦断面図である。
【図３】携帯電話機の電気的構成を示したブロック図である。
【図４】制御器の電気的構成を示したブロック図である。
【図５】メイン処理を示したフローチャートである。
【図６】着信処理を示したフローチャートである。
【図７】呼出処理を示したフローチャートである。
【図８】開放通報処理を示したフローチャートである。
【図９】停電通報処理を示したフローチャートである。
【符号の説明】
【０１２１】
１          インターホン（専用電話端末）
２          収容ボックス（ケース体の一部）
２ａ        開閉蓋（ケース体の一部）
３          本体カメラ（撮像手段）
３ａ        受光面（受光部）
４          本体ＬＣＤ（表示手段）
５          本体スピーカ（送音手段の一部）
６          押下ボタン（キー部材）
７          本体マイク（受音手段の一部）
８          コネクタ（コネクタ部材の一部）
９          ケーブル（コネクタ部材の一部）
１０        携帯電話機
１４ａ      電話帳メモリ（記憶手段）
１５        外部端子
１６        搭載バッテリ（蓄電手段）
１８        撮像素子制御回路（画像送信手段の一部）
１９        高周波回路（発呼手段の一部、送話手段の一部、受話手段の一部、画像送信手段の一部）
２０        音声制御回路（送話手段の一部、受話手段の一部）
３１        アンテナ（発呼手段の一部、送話手段の一部、受話手段の一部、画像送信手段の一部）
４０        制御器
４４ａ      発信者識別メモリ（認証番号記憶手段）
４４ｂ      文字メッセージメモリ（メッセージ記憶手段）
４５        電源回路（主電源手段）
４６        補助バッテリ（補助電源手段の一部）
４７        切換スイッチ（補助電源手段の一部）
４８        撮像制御回路（画像出力手段）
４９        電圧センサ（電力検出手段）
５０        開閉スイッチ（開放検出手段の一部）
５１        音声入出力回路（送音手段の一部、受音手段の一部）
５３        電源ケーブル
５５        警報ブザー（鳴動手段）
７０        商用交流電源（外部電源）
【図１】
2005033720.tif 000003
【図２】
2005033720.tif 000004
【図３】
2005033720.tif 000005
【図４】
2005033720.tif 000006
【図５】
2005033720.tif 000007
【図６】
2005033720.tif 000008
【図７】
2005033720.tif 000009
【図８】
2005033720.tif 000010
【図９】
2005033720.tif 000011